(57)【要約】【課題】主として自動車を建物内の駐車場に搬送するエレベーターにおいて、自動車の方向転換用のスペースを建物内で確保しないでも済むようにする。【解決手段】乗りかご４を囲む枠体２０の下部に、乗りかご４を旋回させる旋回テーブル装置２６を設置し、乗りかご４を旋回テーブル装置２６によって旋回可能に支持し、乗りかご４の出入口の方向を変えられるようにする。【選択図】図１
2014031249.tif 000002
【特許請求の範囲】
【請求項１】
建物内に形成された昇降路内を昇降する乗りかごに自動車を人が乗車したまま載せて駐車場に搬送するエレベーターにおいて、
前記乗りかごを囲む枠体の下部に、前記乗りかごを旋回させる旋回テーブル装置を設置し、前記乗りかごを前記旋回テーブル装置によって旋回可能に支持し、前記乗りかごの出入口の方向を変えられるようにしたことを特徴とするエレベーター。
【請求項２】
前記旋回テーブル装置は、前記乗りかごを搭載する旋回テーブルと、前記旋回テーブルに連結され前記かご枠の下部に支持された旋回軸と、駆動源としてのモーターと、前記旋回軸に前記モーターの回転を伝達する減速装置と、を備えることを特徴とする請求項１に記載のエレベーター。
【請求項３】
前記乗りかごには、対向する方向に２つの出入口が配置されていることを特徴とする請求項１に記載のエレベーター。
【発明の詳細な説明】
【技術分野】
【０００１】
本発明の実施形態は、エレベーターに関する。
【背景技術】
【０００２】
エレベーターの乗りかごでは、出入口となる扉は１箇所であるのが通常である。近年では、車椅子の利用者の便宜を図るために、通常の扉の他に、その反対側にも扉を設けたエレベーターが病院等に設置されている例もある。２箇所に出入口があれば、車椅子の利用者は、車椅子の方向を転換することなく、エレベーターの乗り降りが容易になる。
【０００３】
また、従来エレベーターとしては、２箇所に出入口を設ける替わりに、乗りかごの床面に車椅子を載せて旋回できるターンテーブルを配置した住宅用のエレベーターが提案されている。この種のエレベーターの従来例としては、例えば、特許文献１に開示されているホームエレベーターがある。このホームエレベーターでは、床板がターンテーブルを兼ねているため、狭い乗りかごの中であっても、車椅子利用者は、１８０°方向を変える方向転換を行ってエレベーター扉から出られることができるようになっている。
【先行技術文献】
【特許文献】
【０００４】
【特許文献１】特開２０００−１９１２５６号公報
【発明の開示】
【発明が解決しようとする課題】
【０００５】
近年、建物の中には、自動車に乗車したままエレベーターでそのまま乗り入れられる駐車場が設置されていることがある。このようなエレベーターでは、自動車の方向を転換できるようなスペースが乗りかご内にないため、出入口の方向に制約を受けることになる。このため、自動車に乗車したまま目的階に到着した後、乗りかごから出てから方向転換をするスペースが建物内に必要不可欠となるが、自動車の方向転換用のスペースを設けるとなると、建物のレイアウト計画に多大な影響が及ぶという問題があった。
【０００６】
そこで、本発明は、前記問題点に鑑みなされたものあって、主として自動車を建物内の駐車場に搬送するエレベーターにおいて、自動車の方向転換用のスペースを建物内で確保しないでも済むようにしたエレベーターを提供することを目的とする。
【課題を解決するための手段】
【０００７】
前記の目的を達成するために、本発明は、建物内に形成された昇降路内を昇降する乗りかごに自動車を人が乗車したまま載せて駐車場に搬送するエレベーターにおいて、前記乗りかごを囲む枠体の下部に、前記乗りかごを旋回させる旋回テーブル装置を設置し、前記乗りかごを前記旋回テーブル装置によって旋回可能に支持し、前記乗りかごの出入口の方向を変えられるようにしたことを特徴とするものである。
【図面の簡単な説明】
【０００８】
【図１】本発明が適用されるエレベーターの全体を示す模式図。
【図２】本発明の一実施形態によるエレベーターの乗りかごを示す側面図。
【図３】本発明の一実施形態によるエレベーターの乗りかごにおいて出入口の配置を示す平面図。
【図４】利用者が自動車に乗ったまま乗りかごで乗り込んでから９０度旋回する前後における自動車の向きと乗りかごの出入口の方向を示す平面図。
【発明を実施するための最良の形態】
【０００９】
以下、本発明によるエレベーターの一実施形態について、添付の図面を参照しながら説明する。  
図１は、本発明の実施形態によるエレベーターの全体構成を示す図である。図１において、参照番号２はエレベーターの昇降路を示し、参照番号４は昇降路２内を昇降する乗りかごを示している。昇降路２の最上部には、機械室６が設置されており、この機械室６には、巻上機８とシーブ１０ａ、１０ｂが設置されている。巻上機８のトラクションシーブ１２と、乗りかご４の上に設置されたシーブ１４と、シーブ１０ａ、１０ｂには、図１に示されるように、メインロープ１６が巻き掛けられており、メインロープ１６の両端には、それぞれ釣合いおもり１８が接続されている。
【００１０】
この実施形態のエレベーターは、自動車に乗ったまま駐車場に乗り入れたり駐車場から出られるように、主として、自動車に乗った乗客にサービスを提供するエレベーターであり、例えば、地上１階を駐車場への出入口として、サービス階である１階から４階まで各階に駐車場が設置されている。
【００１１】
次に、図２は、乗りかご４の構成を示す側面図である。この乗りかご４は、天井と側板、床板からかご室が形成されている。また、乗りかご４を囲むように枠体２０が構成されており、この枠体２０は、縦枠２１と、水平に架け渡された上枠２２と、下枠２３とから構成されている。
【００１２】
この実施形態では、従来の乗りかごとは異なって、乗りかご４は、枠体２０に固定されておらず、その替わりに下枠２３に取り付けられている旋回テーブル装置２６の上に設置されている。図２に示されるように、旋回テーブル装置２６は、旋回テーブル２７で乗りかご４を水平面上で回転可能に支持している。この旋回テーブル２７の旋回軸２８は、軸受２９によって鉛直に支持されており、モータ３０の回転は、ウォーム歯車などの歯車機構を有する減速装置３１によって、旋回軸２８に伝達されるようになっている。
【００１３】
次に、図３は、乗りかご４の出入口の配置を示す平面図である。この乗りかご４には、出入口を開閉する扉３２、３２が２箇所に対向するように配置されている。乗りかご４の内部には、利用者が行き先階の登録を行うボタンや、扉３２を開閉するボタンや、旋回テーブル装置２６を操作するボタンの設けられた操作盤３４が出入口に向かって左右の２箇所に設けられている。利用者は、旋回テーブル２６を操作するボタンを押すことで、旋回テーブル２７を、例えば、９０度毎に旋回させることができる。
【００１４】
この実施形態の場合、利用者は、自動車に乗ったまま乗りかご４に乗り込むので、このように操作盤３４を２箇所に配置していれば、自動車の中から操作することができる。なお、図３において、参照番号３５は乗りかご４のガイドレールを示している。
【００１５】
本実施形態によるエレベーターは、以上のように構成されるものであり、次に、その作用並びに効果について説明する。  
図４は、利用者が自動車４０に乗ったまま乗りかご４で乗り込んでから９０度旋回する前後における自動車４０の向きと乗りかご４の出入口の方向を示す平面図である。  
駐車場への入口階では、図４(ａ)において、出入口の位置は乗りかご４の左右両側にあったものとする。駐車場のある階では、駐車場への出入口の位置は図４(ｂ)に示されるように、９０度向きを変えた位置にあったものとする。
【００１６】
自動車４０は、図４(ａ)で示す向きで乗りかご４に乗り込むことになる。乗車している利用者は、乗りかご４に乗った後、操作盤３４にあるボタンを操作して、図２に示される旋回テーブル装置２６を作動させ、乗りかご４を９０度時計回りに旋回させる。乗りかご４の旋回によって、乗りかご４の出入口の方向と到着階での駐車場への出入口の方向とは一致することになる。
【００１７】
乗りかご４が駐車場のある階に到着すると、図４(ｂ)に示されるように、利用者は、自動車４０の方向を転換させる必要なく、自動車４０を前進させて駐車場に乗り入れることができる。
【００１８】
以上は、乗りかご４を９０度時計回りに旋回させる例であるが、到着階での出入口の方向によっては、旋回させる方向が反時計回りになる場合がある。また、出入口の向きが変わらない場合には、乗りかご４を１８０度旋回させることにより、自動車４０の向きを反転させて前進だけで駐車場に乗り込めるようにすることも可能である。
【００１９】
本実施形態によれば、乗りかご４そのものを所望の方向に旋回することができるので、建物側には、自動車４０が乗りかご４から出てから方向転換をするスペースを確保することは不必要となって、建物のレイアウトにエレベーターが制約を与えることがなくなり、レイアウトの自由度を格段に高めることができる。
【００２０】
なお、以上の実施形態は、建物内の駐車場に自動車を運ぶエレベーターに本発明を適用した実施形態であるが、エレベーターは、自動車搬送用に限定されるものではなく、車椅子の利用者に便宜を図る病院などのエレベーターにも適用することが可能である。
【００２１】
以上、本発明の実施形態を説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００２２】
２…昇降路、４…乗りかご、６…機械室、８…巻上機、１０ａ、１０ｂ…シーブ、１２…トラクションシーブ、１６…メインロープ、２０…枠体、２１…縦枠、２２…上枠、２３…下枠、２６…旋回テーブル装置、２７…旋回テーブル、２８…旋回軸、２９…軸受、３０…モーター、３１…減速装置、３２…扉、３４…操作盤
【図１】
2014031249.tif 000003
【図２】
2014031249.tif 000004
【図３】
2014031249.tif 000005
【図４】
2014031249.tif 000006